(57)【要約】【課題】建物ユニットや屋根パネル等の重量物の吊り位置を容易に知ることができ、作業労力の軽減及び作業効率の向上を図ることができる吊り上げ装置及び吊り上げ方法を得る。【解決手段】吊り上げ装置１０は、表示部２８を備えた装置本体１２と、支軸２０回りに回動可能とされかつレーザービームを照射するライト１２と、一対のフック１６と、吊り金具１８とを備えている。表示部２８には、屋根勾配に合わせた俯角表示がなされている。屋根パネルを吊り上げる場合、表示部２８を見ながらライト１２を回動させて該当する屋根勾配の位置に合わせ、予め重心が記された屋根パネルの重心のレーザービームが指すように吊り上げ装置１０を移動させてから、吊り上げ部材３４のチェーン３８をフック１６に係止させる。そして、この状態で吊り上げると屋根パネルは屋根勾配に合致する角度だけ傾斜した状態で吊り上げられる。【選択図】図１
2009190811.tif 000002
【特許請求の範囲】
【請求項１】
被吊り上げ物をクレーンで吊り上げる際に用いられる吊り上げ装置であって、
クレーンが備えるクレーン側吊り部材の端部に設けられた結束芯に取り付けられると共に、所定の俯角表示がなされた装置本体と、
この装置本体の俯角表示に沿って支軸回りに回動可能に支持されると共に、所定の俯角を指し示した状態に保持可能な角度指示手段と、
を含んで構成されている、
ことを特徴とする吊り上げ装置。
【請求項２】
前記角度指示手段は、レーザービームを照射可能な投光手段である、
ことを特徴とする請求項１記載の吊り上げ装置。
【請求項３】
被吊り上げ物をクレーンで吊り上げる際に用いられる吊り上げ装置であって、
被吊り上げ物の重心位置にセットされると共に、所定の仰角表示がなされた装置本体と、
この装置本体の仰角表示に沿って回動中心回りに回動可能に支持されると共に、所定の仰角を指し示した状態に保持可能な角度指示手段と、
を含んで構成されている、
ことを特徴とする吊り上げ装置。
【請求項４】
前記角度指示手段は、一端が装置本体に固定された紐状部材である、
ことを特徴とする請求項３記載の吊り上げ装置。
【請求項５】
被吊り上げ物の吊り上げ前に、請求項１又は請求項２に記載された吊り上げ装置の装置本体をクレーンが備えるクレーン側吊り部材の端部に設けられた結束芯に取り付け、
装置本体の俯角表示を使って角度指示手段の指示角度を被吊り上げ物の吊り上げ角度に合わせ、
被吊り上げ物に予め表示された重心を当該角度指示手段が指し示すように、前記結束芯を移動させ、
当該移動後の装置本体又は結束芯に、被吊り上げ物に端部が係止されたロープ状の吊り上げ部材を係止させてから、被吊り上げ物を吊り上げる、
ことを特徴とする吊り上げ方法。
【請求項６】
被吊り上げ物の吊り上げ前に、請求項３又は請求項４に記載された吊り上げ装置の装置本体を被吊り上げ物の重心にセットし、
装置本体の仰角表示を使って角度指示手段の指示角度を被吊り上げ物の吊り上げ角度に合わせ、
当該角度指示手段が指し示す仰角方向上に、クレーンが備えるクレーン側吊り部材の端部に設けられた結束芯を移動させ、
当該移動後の結束芯又は当該結束芯に係止された角度指示手段の一部に、被吊り上げ物に端部が係止されたロープ状の吊り上げ部材を係止させてから、被吊り上げ物を吊り上げる、
ことを特徴とする吊り上げ方法。
【発明の詳細な説明】
【技術分野】
【０００１】
本発明は、重量物を吊り上げるための吊り上げ装置及び吊り上げ方法に関する。
【背景技術】
【０００２】
建物ユニットや屋根パネル等の重量物をクレーンで吊り上げて所定の設置位置まで移動させる場合、吊り具の状態を最適な状態に調整してから吊り込む。例えば、建物ユニットであれば、重量バランスが均一ではないので、クレーンで建物ユニットを若干吊り上げてバランスを目視で確認してから一旦建物ユニットを降ろし、チェーンブロックで吊りロープの長さを調整してから再び建物ユニットを若干吊り上げてバランスがとれたかどうかを確認する。また、屋根パネルの場合は、重量バランスは略均一であるが、設置性を考慮して予め屋根勾配に合わせて吊り上げることもあり、その場合には吊りロープの長さを調整する必要がある。いずれにしても、重量物であるが故に手間のかかる作業となるため、廉価で簡単に調整できる方法が望まれている。
【０００３】
下記特許文献１には、屋根パネルについて吊り上げ方法を工夫した技術が開示されており、以下に簡単に説明する。この先行技術では、チェーンと当該チェーンの両端にそれぞれ係止された一対のワイヤとで構成された吊り部材を予め必要本数用意する。なお、ワイヤの端部には吊り金具が取り付けられている。この吊り部材を二組用いて、チェーンの所定箇所をクレーンのフックに係止されたシャックルに引っ掛ける。
【０００４】
このとき、屋根パネルの設置状態の屋根勾配（勾配値）からこれに対応する比例値（吊り部材の吊り位置を基準にして長辺側と短辺側の寸法を出すための値）を換算表から選び、長辺側寸法と短辺側寸法を決める。そして、二組の吊り部材について長辺側寸法と短辺側寸法とをそれぞれ測定し、吊り位置を特定し、その吊り位置で吊り部材のチェーンをシャックルに係止させる。この状態で屋根パネルを吊り上げると、屋根パネルは設置状態の屋根勾配に合致した状態で吊り上がるというものである。
【特許文献１】特許２６３３１８８号公報
【発明の開示】
【発明が解決しようとする課題】
【０００５】
しかしながら、上記先行技術による場合、屋根勾配ごとに吊り部材の長辺側寸法と短辺側寸法とを測定して吊り位置を求めなければならず、調整作業に手間がかかる。
【０００６】
特許文献１の明細書の段落番号［００１０］には、予めチェーンに屋根勾配ごとに吊り位置を刻印してもよい旨の記載もあるが、屋根パネルといっても、パネルサイズは数種類あり、屋根勾配も数種類あるとなると、チェーンにすべての組み合わせの吊り位置を刻印することは現実的ではなく、又使い勝手も悪い。
【０００７】
このように屋根パネルに絞った技術でも調整作業の簡素化は充分には達成されておらず、より優れた技術の案出が望まれている。
【０００８】
本発明は上記事実を考慮し、建物ユニットや屋根パネル等の重量物の吊り位置を容易に知ることができ、作業労力の軽減及び作業効率の向上を図ることができる吊り上げ装置及び吊り上げ方法を得ることが目的である。
【課題を解決するための手段】
【０００９】
請求項１の発明に係る吊り上げ装置は、被吊り上げ物をクレーンで吊り上げる際に用いられる吊り上げ装置であって、クレーンが備えるクレーン側吊り部材の端部に設けられた結束芯に取り付けられると共に、所定の俯角表示がなされた装置本体と、この装置本体の俯角表示に沿って支軸回りに回動可能に支持されると共に、所定の俯角を指し示した状態に保持可能な角度指示手段と、を含んで構成されている、ことを特徴とする。
【００１０】
請求項２の発明は、請求項１記載の吊り上げ装置において、前記角度指示手段は、レーザービームを照射可能な投光手段である、ことを特徴とする。
【００１１】
請求項３の発明に係る吊り上げ装置は、被吊り上げ物をクレーンで吊り上げる際に用いられる吊り上げ装置であって、被吊り上げ物の重心位置にセットされると共に、所定の仰角表示がなされた装置本体と、この装置本体の仰角表示に沿って回動中心回りに回動可能に支持されると共に、所定の仰角を指し示した状態に保持可能な角度指示手段と、を含んで構成されている、ことを特徴とする。
【００１２】
請求項４の発明は、請求項３記載の吊り上げ装置において、前記角度指示手段は、一端が装置本体に固定された紐状部材である、ことを特徴とする。
【００１３】
請求項５の発明に係る吊り上げ方法は、被吊り上げ物の吊り上げ前に、請求項１又は請求項２に記載された吊り上げ装置の装置本体をクレーンが備えるクレーン側吊り部材の端部に設けられた結束芯に取り付け、装置本体の俯角表示を使って角度指示手段の指示角度を被吊り上げ物の吊り上げ角度に合わせ、被吊り上げ物に予め表示された重心を当該角度指示手段が指し示すように、前記結束芯を移動させ、当該移動後の装置本体又は結束芯に、被吊り上げ物に端部が係止されたロープ状の吊り上げ部材を係止させてから、被吊り上げ物を吊り上げる、ことを特徴とする。
【００１４】
請求項６の発明に係る吊り上げ方法は、被吊り上げ物の吊り上げ前に、請求項３又は請求項４に記載された吊り上げ装置の装置本体を被吊り上げ物の重心にセットし、装置本体の仰角表示を使って角度指示手段の指示角度を被吊り上げ物の吊り上げ角度に合わせ、当該角度指示手段が指し示す仰角方向上に、クレーンが備えるクレーン側吊り部材の端部に設けられた結束芯を移動させ、当該移動後の結束芯又は当該結束芯に係止された角度指示手段の一部に、被吊り上げ物に端部が係止されたロープ状の吊り上げ部材を係止させてから、被吊り上げ物を吊り上げる、ことを特徴とする。
【００１５】
請求項１記載の本発明によれば、まず、被吊り上げ物の吊り上げ前に、装置本体が、クレーンが備えるクレーン側吊り部材の端部に設けられた結束芯に取り付けられる。次に、装置本体に回動可能に支持された角度指示手段が支軸回りに回動され、角度指示手段が所定の俯角に合わせられてこの状態に保持される。この角度指示手段が指し示す俯角方向に被吊り上げ物の重心が位置するように、装置本体（結束芯）が被吊り上げ物に対して相対的に移動される。その後、当該移動後の装置本体又は結束芯に、ロープ状の吊り上げ部材の端部が係止される。
【００１６】
上記の操作後、クレーンで被吊り上げ物を吊り上げると、結束芯と被吊り上げ物の重心とが同一鉛直線上に位置され、被吊り上げ物の吊り上げ状態のバランスが保たれる。従って、被吊り上げ物の吊り上げ前に、吊り上げ部材の寸法を測定して吊り上げ部材の結束芯への係止位置を決める作業等が不要となる。
【００１７】
請求項２記載の本発明によれば、角度指示手段がレーザービームを照射可能な投光手段とされているので、角度指示手段から照射されたレーザービームが被吊り上げ物上に光の点として表示される。この光の点が被吊り上げ物の重心に重なるように吊り上げ装置、即ちクレーンが備えるクレーン側吊り部材の端部に設けられた結束芯をずらしていけばよい（相対移動させればよい）。
【００１８】
請求項３記載の本発明によれば、まず、被吊り上げ物の吊り上げ前に、装置本体が被吊り上げ物の重心位置にセットされる。次に、装置本体に回動可能に支持された角度指示手段が回動中心回りに回動され、角度指示手段が所定の仰角に合わせられてこの状態に保持される。この角度指示手段が指し示す仰角方向に結束芯が位置するように、結束芯が被吊り上げ物に対して相対的に移動される。その後、結束芯にロープ状の吊り上げ部材の端部が係止される。
【００１９】
上記の操作後、クレーンで被吊り上げ物を吊り上げると、結束芯と被吊り上げ物の重心とが同一鉛直線上に位置され、被吊り上げ物の吊り上げ状態のバランスが保たれる。従って、被吊り上げ物の吊り上げ前に、吊り上げ部材の寸法を測定して吊り上げ部材の結束芯への係止位置を決める作業等が不要となる。
【００２０】
請求項４記載の本発明によれば、角度指示手段が一端が装置本体に固定された紐状部材であるので、簡易に構成を成立させることができる。
【００２１】
請求項５記載の本発明によれば、被吊り上げ物の吊り上げ前に、請求項１又は請求項２に記載された吊り上げ装置の装置本体が、クレーンが備えるクレーン側吊り部材の端部に設けられた結束芯に取り付けられる。次いで、装置本体の俯角表示を使って角度指示手段の指示角度が、被吊り上げ物の吊り上げ角度に合わせられる。この時点では、角度指示手段が指し示した位置と被吊り上げ物の重心とはずれている。そこで、被吊り上げ物に予め表示された重心を当該角度指示手段が指し示すように、クレーンが備えるクレーン側吊り部材の端部に設けられた結束芯を移動させる。角度指示手段が被吊り上げ物の重心を指し示したら、その状態を維持して、被吊り上げ物に端部が係止されたロープ状の吊り上げ部材の反対側の端部側を、当該移動後の装置本体又は結束芯に弛まないように係止させる。その後、この状態で、被吊り上げ物を吊り上げれば、被吊り上げ物の重心と結束芯とが同一鉛直線上に位置され、被吊り上げ物を予め決定した吊り上げ角度で吊り上げることが可能となる。従って、被吊り上げ物の吊り上げ前に、吊り上げ部材の寸法を測定して吊り上げ部材の結束芯への係止位置を決める作業等が不要となる。
【００２２】
請求項６記載の本発明によれば、被吊り上げ物の吊り上げ前に、請求項３又は請求項４に記載された吊り上げ装置の装置本体が、被吊り上げ物の重心にセットされる。次いで、装置本体の仰角表示を使って角度指示手段の指示角度が、被吊り上げ物の吊り上げ角度に合わせられる。この時点では、クレーン側吊り部材の端部に設けられた結束芯は、角度指示手段が指し示した方向からずれている。そこで、角度指示手段が指し示す仰角方向上に、クレーンが備えるクレーン側吊り部材の端部に設けられた結束芯を移動させる。当該移動後の結束芯又は当該結束芯に係止された角度指示手段の一部に、被吊り上げ物に端部が係止されたロープ状の吊り上げ部材の端部が弛まないように係止される。その後、この状態で、被吊り上げ物を吊り上げれば、被吊り上げ物の重心と結束芯とが同一鉛直線上に位置され、被吊り上げ物を予め決定した吊り上げ角度で吊り上げることが可能となる。従って、被吊り上げ物の吊り上げ前に、吊り上げ部材の寸法を測定して吊り上げ部材の結束芯への係止位置を決める作業等が不要となる。
【発明の効果】
【００２３】
以上説明したように、請求項１、請求項３記載の本発明に係る吊り上げ装置及び請求項５、請求項６記載の本発明に係る吊り上げ方法は、建物ユニットや屋根パネル等の重量物の吊り位置を容易に知ることができ、作業労力の軽減及び作業効率の向上を図ることができるという優れた効果を有する。
【００２４】
請求項２記載の本発明に係る吊り上げ装置は、被吊り上げ物に非接触で吊り位置の調整を行うことができるので、より一層簡単に吊り位置の調整作業を行うことができるという優れた効果を有する。
【００２５】
請求項４記載の本発明に係る吊り上げ装置は、紐状部材を使って吊り位置の調整を行うことができるので、吊り上げ装置を低コストで製作することができると共に吊り上げ装置を小型軽量化することができるという優れた効果を有する。
【発明を実施するための最良の形態】
【００２６】
〔第１実施形態〕
【００２７】
以下、図１〜図４を用いて、本発明に係る吊り上げ装置及び吊り上げ方法の第１実施形態について説明する。
【００２８】
図１には、本実施形態に係る吊り上げ装置（角度計）１０の斜視図が示されている。また、図２には、吊り上げ装置１０の側面図が示されている。これらの図に示されるように、吊り上げ装置１０は、内部が空洞とされた略円柱状に形成された装置本体１２と、この装置本体１２の両側部１２Ａに回転可能に支持された角度指示手段及び投光手段としてのライト１４と、装置本体１２の軸芯部に垂直に立設された一対のフック（係止部）１６と、装置本体１２の上部外周に配置された上下逆向きのＵ字状に形成された吊り金具１８と、を含んで構成されている。
【００２９】
より詳細に説明すると、装置本体１２は、側面視で円盤状に形成されかつ平行に配置された一対の側部１２Ａと、これらの側部１２Ａの上縁部を円弧状に繋ぐ中間部１２Ｂと、を備えている。両側部１２Ａの間の部分は空洞とされているが、中間部１２Ｂの上半分を中空ではなく中実としてもよい。
【００３０】
上記装置本体１２の軸芯部には、真直筒状の支軸２０が貫通状態で配置されている。この支軸２０にライト１４の基端部が回動可能に支持されている。なお、ライト１４の基端部は支軸２０回りに回動させたときに、その位置にライト１４が保持されるように図示しない保持手段が配設されている。保持手段の例としては、ライト１４の基端部の外周面と装置本体１２の両側部１２Ａの内側面との間に一対のウェーブワッシャやスプリングワッシャ等を介在させておき、ライト１４の基端部が支軸２０の軸方向に押圧付勢されるようにして、ライト１４が支軸２０回りに回動されたときにその位置にライト１４を摩擦保持する手法等がある。
【００３１】
また、ライト１４に設けられた図示しないスイッチを押すと、ライト１４の先端部に設けられたヘッド１４Ａの軸芯から赤色のレーザービーム２２（図３参照）が照射されるようになっている。なお、ヘッド１４Ａはライト１４の本体１４Ｂに対して螺合により固定されており、電池交換等する際にはヘッド１４Ａを回転させて本体１４Ｂからヘッド１４Ａを取り外すことができるようになっている。
【００３２】
さらに、吊り金具１８は、上下逆向きのＵ字状に形成されており、装置本体１２の上方から被嵌されるようにして装着されている。吊り金具１８は、装置本体１２の両側部１２Ａに密着した状態又は若干隙間をあけた状態で配置される一対の側部１８Ａと、これらの側部１８Ａの上端部を装置本体１２の中間部１２Ｂの径方法外側で繋ぐ被係止部１８Ｂと、によって構成されている。一対の側部１８Ａの下端部は、装置本体１２の両側部１２Ａを貫通する上記支軸２０の貫通端部に相対回転可能に軸支されている。なお、この被係止部１８Ｂに図示しないクレーンが備えるクレーン側吊り部材２４の先端部に設けられた結束芯２６が係止されるようになっている。本実施形態では、結束芯２６が環状に形成されて、吊り金具１８の被係止部１８Ｂが既に結束芯２６に係止された後の状態で描かれているが、被係止部１８Ｂの結束芯２６への係止のさせ方は任意に決定すればよい。
【００３３】
また、上記支軸２０の軸方向両端部２０Ａには、軸芯をＪ字状に曲げて形成した一対のフック１６が接続されている。なお、フック１６は、接続後の状態で吊り方向側（図１の図上の上側）を向くようになっている。また、フック１６の基端部の支軸２０の軸方向両端部２０Ａへの接続の仕方は任意に構成すればよい。この実施形態では、支軸２０が筒状に形成されており、その軸方向両端部２０Ａの内周面に雌ねじをきっておき、フック１６の基端部の外周面に形成された雄ねじを雌ねじに螺合させるようにしているが、支軸を中実にしてその軸方向両端部の外周面にフック１６の雄ねじと同一ピッチの雄ねじを形成し、支軸の軸方向の端部の雄ねじに軸長が比較的長いナットの片側を先に螺合させて、次にフック１６の雄ねじをナットの反対側に螺合させるようにしてもよい。また、装置本体１２の両側部１２Ａの中間位置の軸芯部に、外側からフック１６をそれぞれ所定量挿入し、両側部１２Ａの内方で双方のフック１６の基端部同士を突き合わせて当接部位を溶接することで、支軸をフック１６と兼用するようにしてもよい。
【００３４】
図２に示されるように、上述した装置本体１２の両側部１２Ａの下半分には、略半円形状の表示部２８が付設されている。表示部２８には、「９．０」、「６．０」、「４．５」、「９０°」、「０°」といった俯角表示が刻印等により表示されている。「９．０」は、屋根勾配で用いられる９寸勾配を意味しており、「６．０」は６寸勾配を意味しており、「４．５」は４．５寸勾配を意味している。この表示方向が後述する屋根パネル３０の吊り上げ部材３４の吊り上げ角度であり、屋根パネル３０の設置角度に対応している。因みに、図２に付記したように、９寸勾配とは、仮に表示部２８の中心から外周までの長さ（直角三角形の高さ）をｘとした場合に、ｘ×０．９で表される長さを底辺とする直角三角形の斜辺の傾きのことである。６寸勾配、４．５寸勾配についての付記も同様に考えればよい。
【００３５】
一方、図３には屋根パネル３０の吊り上げ方法の手順が示されており、又図４には建物ユニット３２の吊り上げ方法の手順が示されている。これらの図に示されるように、被吊り上げ物としての屋根パネル３０や建物ユニット３２を吊り上げる際には、ロープ状の吊り上げ部材３４が必要本数使用される。図１に示されるように、吊り上げ部材３４は、ロープ３６とチェーン３８とを繋いだ部材として構成されている。
【００３６】
（作用・効果）
【００３７】
次に、図３及び図４を用いて、上述した吊り上げ装置１０を用いた吊り上げ方法の手順を説明し、その説明を通して本実施形態の作用並びに効果について説明する。
【００３８】
図３には、屋根パネル３０の吊り上げ方が示されている。図３（Ａ）に示されるように、屋根パネル３０には、予め工場内で重心Ｇ１の位置が記されている。補足すると、通常、屋根パネル３０は矩形平板状に形成されており、その重量分布も均一である。従って、このような重量バランスに偏りがない被吊り上げ物の場合には、平面視で観た場合の屋根パネル３０の図心位置がそのまま重心Ｇ１となる。また、重心Ｇ１の記し方は任意であり、シールやテープ等を貼り付けてもよいし、直接書き込んでもよい。
【００３９】
まず、最初に、上記屋根パネル３０の上方にクレーン側吊り部材２４の結束芯２６を位置させて、吊り上げ装置１０の吊り金具１８を係止させる。そして、装置本体１２の表示部２８を見ながら、ライト１４を支軸２０回りに回動させ、屋根パネル３０の設置角度（屋根勾配）に合わせる。例えば、屋根パネル３０が９．０寸勾配で設置される場合には、ライト１４を表示部２８の「９．０」に合わせる。ライト１４の角度を合わせたら、スイッチを押して、ライト１４を点灯させる。ライト１４が点灯すると、レーザービーム２２が屋根パネル３０の上面へ照射される。このときには、レーザービーム２２の照射位置は重心Ｇ１に合っておらず、δ１のずれが生じている。
【００４０】
次いで、図３（Ｂ）に示されるように、クレーンを操作して、レーザービーム２２の照射位置が重心Ｇ１に一致するように吊り上げ装置１０を移動させる。
【００４１】
次いで、図３（Ｃ）に示されるように、屋根パネル３０の四隅にロープ３６の端部が係止された４本の吊り上げ部材３４のチェーン３８をそれぞれ吊り上げ装置１０のフック１６に係止させる。このとき、各吊り上げ部材３４が弛まないようにチェーン３８をフック１６に係止させる。
【００４２】
４本すべての吊り上げ部材３４のフック１６への係止が済んだら、図３（Ｄ）に示されるように、クレーンを操作して屋根パネル３０を吊り上げる。屋根パネル３０を吊り上げると、重心Ｇ１と吊り上げ部材３４（結束芯２６）とが同一鉛直線上に位置するように屋根パネル３０が所定角度傾く。この所定角度は、屋根パネル３０の設置角度と同一になる。そして、屋根パネル３０を傾斜させた状態で所定の設置位置まで吊り込んで、屋根パネル３０を上階ユニットの上端部にボルト等により固定すればよい。
【００４３】
一方、図４には、箱型の建物ユニット３２の吊り上げ方が示されている。図４（Ａ）に示されるように、建物ユニット３２の上面には、予め工場内で重心Ｇ２の位置が記されている。補足すると、通常、建物ユニット３２は直方体形状に形成されているが、上述した屋根パネル３０とは異なり、重量分布も不均一である。つまり、ユニット住宅等のユニット建物のどの位置にどの用途で設置される建物ユニットかによって、躯体フレーム、外装構造、内装構造、設備品、施工現場工事部材等のユニット積載品等が異なっており、一般には建物ユニット３２を平面視で観た場合の図心と重心Ｇ２は一致しない。なお、図４の建物ユニット３２の上面には、重心Ｇ２が中心位置に存在しないことを視覚的に捉え易くするために、建物ユニット３２の上面に対角線を一点鎖線で図示している。
【００４４】
そこで、このような建物ユニット３２の場合には、予め工場内で各建物ユニット３２ごとに重心Ｇ２を求めておき、予め記しておくことが有効である。なお、各建物ユニット３２の重心Ｇ２は、設計段階で躯体フレーム、外装構造、内装構造、設備品、施工現場工事部材等のユニット積載品等のデータを入力しておけば、数値計算で求めることができる。或いは、各建物ユニット３２の四隅に立設された各柱の位置での重量を測定し、加重平均で重心Ｇ２を求めるといった手法でもよい。
【００４５】
まず、最初に、上記建物ユニット３２の上方にクレーン側吊り部材２４の結束芯２６を位置させて、吊り上げ装置１０の吊り金具１８を係止させる。そして、装置本体１２の表示部２８を見ながら、ライト１４を支軸２０回りに回動させ、「０°」に合わせる。つまり、ライト１４を鉛直下向きに向かせる。ライト１４の角度を「０°」に合わせたら、スイッチを押して、ライト１４を点灯させる。ライト１４が点灯すると、レーザービーム２２が建物ユニット３２の上面へ照射される。このときには、レーザービーム２２の照射位置は重心Ｇ２に合っておらず、δ２のずれが生じている。
【００４６】
次いで、図４（Ｂ）に示されるように、クレーンを操作して、レーザービーム２２の照射位置が重心Ｇ２に一致するように吊り上げ装置１０を移動させる。
【００４７】
次いで、図４（Ｃ）に示されるように、建物ユニット３２の四隅にロープ３６の端部が係止された４本の吊り上げ部材３４のチェーン３８をそれぞれ吊り上げ装置１０のフック１６に係止させる。このとき、各吊り上げ部材３４が弛まないようにチェーン３８をフック１６に係止させる。
【００４８】
４本すべての吊り上げ部材３４のフック１６への係止が済んだら、図４（Ｄ）に示されるように、クレーンを操作して建物ユニット３２を吊り上げる。建物ユニット３２を吊り上げると、重心Ｇ２と吊り上げ部材３４（結束芯２６）とは元々同一鉛直線上に位置されているので、建物ユニット３２はそのまま傾くことなく水平に吊り上げられる。そして、所定の据付け位置まで建物ユニット３２を吊り込んで基礎又は下階ユニット上に据付ける。
【００４９】
このように本実施形態に係る吊り上げ装置及び吊り上げ方法によれば、建物ユニット３２や屋根パネル３０等の重量物の吊り位置を容易に知ることができ、従来のようにチェーンブロックを使って少し持ち上げてバランスを目視で確認し、一旦降ろして微調整して再度持ち上げてバランスを再度目視で確認する作業を繰り返し行う必要がなくなり、又先行技術との比較でいえば吊り上げ部材の長さ調整をする手間もなくなる。従って、作業労力の軽減及び作業効率の向上を図ることができる。さらに、先行技術との比較でいえば、屋根勾配やサイズごとに吊り位置を吊り上げ部材に刻印する煩雑さもなく、又使い勝手も非常に良い。
【００５０】
また、本実施形態に係る吊り上げ装置及び吊り上げ方法では、レーザービーム２２を照射するライト１４を使って角度を指示する構成としたので、建物ユニット３２や屋根パネル３０に非接触で吊り位置の調整を行うことができる。従って、より一層簡単に吊り位置の調整作業を行うことができる。さらに、赤色のレーザービーム２２を使うことにより、晴天下の野外での吊り上げ作業も、何ら支障をきたすことなく行うことができる。
【００５１】
さらに、本実施形態に係る吊り上げ装置１０では、（装置本体に設けられ、被吊り上げ物に端部が係止されたロープ状の吊り上げ部材が係止される係止部として把握される）フック１６がライト１４の支軸２０と同軸上に配置されているので、吊り上げ部材３４の係止位置とライト１４の回転中心とがずれることによる誤差を少なくすることができる。
【００５２】
〔第２実施形態〕
【００５３】
以下、図５〜図７を用いて、本発明に係る吊り上げ装置及び吊り上げ方法の第２実施形態について説明する。なお、前述した第１実施形態と同一構成部分については、同一番号を付してその説明を省略する。
【００５４】
図５には、本実施形態に係る吊り上げ装置（角度計）５０の斜視図が示されている。この図に示されるように、吊り上げ装置５０は、矩形平板状の基部５２の中央に半円形状の表示盤５４を立設させた装置本体５６と、この装置本体５６の基部５２の中央に一端が固定された角度表示手段及び紐状部材としての紐５８と、紐５８の他端に係止された吊りフック６０と、を含んで構成されている。
【００５５】
より詳細に説明すると、基部５２の裏面には、図示しない磁石が固着されている。また、表示盤５４には、「９．０」、「６．０」、「４．５」、「９０°」、「０°」といった仰角表示が刻印等により表示されている。なお、仰角表示の意味するところは、前述した第１実施形態と同様である。さらに、紐５８の一端は表示盤５４の底辺の中央に固定されている。また、吊りフック６０は、図示しないクレーンが備えるクレーン側吊り部材２４の先端部に設けられた結束芯２６（図６（Ｂ）参照）に係止される結束芯用フック６２と、この結束芯用フック６２に溶接等により固着された２個の吊り部材用フック６４と、によって構成されている。なお、吊り部材用フック６４の個数は１個でもよいし、３個、又は４個でもよい。
【００５６】
（作用・効果）
【００５７】
次に、図６及び図７を用いて、上述した吊り上げ装置５０を用いた吊り上げ方法の手順を説明し、その説明を通して本実施形態の作用並びに効果について説明する。
【００５８】
図６には、屋根パネル３０の吊り上げ方が示されている。図６（Ａ）に示されるように、屋根パネル３０に予め工場内で記された重心Ｇ１（図６では重心Ｇ１は基部５２によって隠れている。）の位置に吊り上げ装置５０の中心（紐５８の一端の固定位置でよい。）を合わせる。なお、基部５２の裏面には図示しない磁石が固着されているが、屋根パネル３０を吊り上げる場合には基部５２の裏面を屋根パネル３０の上面に両面テープで接着する等の手法を用いるのがよい。
【００５９】
次いで、図６（Ｂ）に示されるように、紐５８の他端（吊りフック６０）を手に持って、一直線状に引っ張り（即ち、余分な弛みを取り除き）、表示盤５４に沿わせる。そして、表示盤５４を見ながら、紐５８をその一端を中心として表示盤５４に沿って回動させ、屋根パネル３０の設置角度（屋根勾配）に合わせる。このときには、クレーンのクレーン側吊り部材２４の先端の結束芯２６の位置は紐５８の他端の吊りフック６０の結束芯用フック６２の位置に合っておらず、δ１のずれが生じている。
【００６０】
次いで、図６（Ｃ）に示されるように、クレーンを操作して、結束芯２６が結束芯用フック６２の位置に一致するように結束芯２６を移動させて、結束芯２６を結束芯用フック６２に係止させる。係止後は、紐５８の他端（吊りフック６０）を放してもよい。その後、屋根パネル３０の四隅にロープ３６の端部が係止された４本の吊り上げ部材３４のチェーン３８をそれぞれ吊りフック６０の吊り部材用フック６４に係止させる。このとき、各吊り上げ部材３４が弛まないようにチェーン３８を吊り部材用フック６４に係止させる。
【００６１】
４本すべての吊り上げ部材３４の吊り部材用フック６４への係止が済んだら、図６（Ｄ）に示されるように、クレーンを操作して屋根パネル３０を吊り上げる。屋根パネル３０を吊り上げると、重心Ｇ１と吊り上げ部材３４（結束芯２６）とが同一鉛直線上に位置するように屋根パネル３０が所定角度傾く。この所定角度は、屋根パネル３０の設置角度と同一になる。そして、屋根パネル３０を傾斜させた状態で所定の設置位置まで吊り込んで、屋根パネル３０を上階ユニットの上端部にボルト等により固定すればよい。
【００６２】
一方、図７には、箱型の建物ユニット３２の吊り上げ方が示されている。図７（Ａ）に示されるように、建物ユニット３２の上面に予め工場内で記された重心Ｇ２（図７では重心Ｇ２は基部５２によって隠れている。）の位置に吊り上げ装置５０の中心（紐５８の一端の固定位置でよい。）を合わせる。なお、基部５２の裏面には図示しない磁石が固着されているので、その磁力によって基部５２は建物ユニット３２の上面に吸着される。
【００６３】
次いで、図７（Ｂ）に示されるように、紐５８の他端（吊りフック６０）を手に持って、一直線状に引っ張り（即ち、余分な弛みを取り除き）、表示盤５４に沿わせる。そして、表示盤５４を見ながら、紐５８をその一端を中心として表示盤５４に沿って回動させ、「０°」に合わせる。このときには、クレーンのクレーン側吊り部材２４の先端の結束芯２６の位置は紐５８の他端の吊りフック６０の結束芯用フック６２の位置に合っておらず、δ２のずれが生じている。
【００６４】
次いで、図７（Ｃ）に示されるように、クレーンを操作して、結束芯２６が結束芯用フック６２の位置に一致するように結束芯２６を移動させて、結束芯２６を結束芯用フック６２に係止させる。係止後は、紐５８の他端（吊りフック６０）を放してもよい。その後、建物ユニット３２の四隅にロープ３６の端部が係止された４本の吊り上げ部材３４のチェーン３８をそれぞれ吊りフック６０の吊り部材用フック６４に係止させる。このとき、各吊り上げ部材３４が弛まないようにチェーン３８を吊り部材用フック６４に係止させる。
【００６５】
４本すべての吊り上げ部材３４の吊り部材用フック６４への係止が済んだら、図７（Ｄ）に示されるように、クレーンを操作して建物ユニット３２を吊り上げる。建物ユニット３２を吊り上げると、重心Ｇ２と吊り上げ部材３４（結束芯２６）とは元々同一鉛直線上に位置されているので、建物ユニット３２はそのまま傾くことなく水平に吊り上げられる。そして、所定の据付け位置まで建物ユニット３２を吊り込んで基礎又は下階ユニット上に据付ける。
【００６６】
このように本実施形態に係る吊り上げ装置及び吊り上げ方法によれば、前述した第１実施形態と同様に、建物ユニット３２や屋根パネル３０等の重量物の吊り位置を容易に知ることができ、従来のようにチェーンブロックを使って少し持ち上げてバランスを目視で確認し、一旦降ろして微調整して再度持ち上げてバランスを再度目視で確認する作業を繰り返し行う必要がなくなり、又先行技術との関係でいえば吊り上げ部材の長さ調整をする手間もなくなる。従って、作業労力の軽減及び作業効率の向上を図ることができる。
【００６７】
また、本実施形態に係る吊り上げ装置及び吊り上げ方法では、紐５８を使って吊り位置の調整を行うことができるので、吊り上げ装置５０を低コストで製作することができると共に吊り上げ装置５０を小型軽量化することができる。
【００６８】
〔本実施形態の補足説明〕
【００６９】
なお、上述した第１実施形態では、吊り上げ部材３４を係止させるフック１６を装置本体１２に設けたが、これに限らず、装置本体１２とは分離して結束芯２６に吊り上げ部材３４を係止させるようにしてもよい。同様に、第２実施形態では、吊り部材用フック６４を結束芯用フック６２に一体化させたが、これに限らず、結束芯用フック６２とは分離して結束芯２６に吊り上げ部材３４を係止させるようにしてもよい。
【００７０】
また、上述した第２実施形態では、紐５８を用いたが、これに限らず、伸縮可能なアンテナ状の部材を基部５２の中央に回動自在に取り付けてもよい。この場合、アンテナ状の部材は伸長後の状態に保持されるので、紐のように先端部を手で持っている必要がないというメリットがある。
【図面の簡単な説明】
【００７１】
【図１】第１実施形態に係る吊り上げ装置を示す斜視図である。
【図２】図１に示される吊り上げ装置の側面図である。
【図３】図１に示される吊り上げ装置を用いて屋根パネルを吊り上げる場合の吊り上げ方法の手順を示す説明図である。
【図４】図１に示される吊り上げ装置を用いて建物ユニットを吊り上げる場合の吊り上げ方法の手順を示す説明図である。
【図５】第２実施形態に係る吊り上げ装置を示す斜視図である。
【図６】図５に示される吊り上げ装置を用いて屋根パネルを吊り上げる場合の吊り上げ方法の手順を示す説明図である。
【図７】図５に示される吊り上げ装置を用いて建物ユニットを吊り上げる場合の吊り上げ方法の手順を示す説明図である。
【符号の説明】
【００７２】
１０      吊り上げ装置
１２      装置本体
１４      ライト（角度指示手段、投光手段）
２０      支軸
２２      レーザービーム
２４      クレーン側吊り部材
２６      結束芯
２８      表示部
３０      屋根パネル（被吊り上げ物）
３２      建物ユニット（被吊り上げ物）
３４      吊り上げ部材
５０      吊り上げ装置
５６      装置本体
５４      表示盤
５８      紐（角度指示手段）
Ｇ１      重心（重心位置）
Ｇ２      重心（重心位置）
【図１】
2009190811.tif 000003
【図２】
2009190811.tif 000004
【図３】
2009190811.tif 000005
【図４】
2009190811.tif 000006
【図５】
2009190811.tif 000007
【図６】
2009190811.tif 000008
【図７】
2009190811.tif 000009